(57)【要約】【課題】コンクリート製の基礎を新設することなく、既設の防水層を貫通して、短期間で且つ安価に設置することのできる架台用ベースを提供する。【解決手段】外周に螺子溝の形成された支柱部材と、前記支柱部材の下端近傍に取り付けられる丸型ナットと、前記支柱部材の下端から所定の高さ位置に取り付けられるベースプレートと、前記支柱部材に前記ベースプレートの上に螺合される板ナットと、前記支柱部材の頂部に螺合されるナット及びワッシャーとを備える架台用ベースであって、前記丸型ナットを含む支柱部材の下端部を充填・接着材を充たした設置孔内に前記ベースプレートの下面が設置面に当接するまで挿入し固定するので、コンクリート基礎を新設することなく、既設の防水層を貫通して、短期間で且つ安価に設置することができる。【選択図】図４
2015186402.tif 000002
【特許請求の範囲】
【請求項１】
外周に螺子溝の形成された支柱部材と、
前記支柱部材の下端近傍に取り付けられる丸型ナットと、
前記支柱部材の下端から所定の高さ位置に取り付けられるベースプレートと、
前記支柱部材に前記ベースプレートの上に螺合される板ナットと、
前記支柱部材の頂部に螺合されるナット及びワッシャーと、
を備える架台用ベースであって、
前記丸型ナットを含む支柱部材の下端部を充填・接着材を充たした設置孔内に前記ベースプレートの下面が設置面に当接するまで挿入し固定することを特徴とする架台用ベース。
【請求項２】
前記支柱部材と丸型ナットとを一体的に構成したことを特徴とする請求項１に記載の架台用ベース。
【請求項３】
前記ベースプレートの上に防水層を形成する場合、支柱部材に沿って所定高さまで防水層を立ち上げることを特徴とする請求項１または２に記載の架台用ベース。
【発明の詳細な説明】
【技術分野】
【０００１】
本発明は、大陽電池モジュールの設置等に用いられる架台用ベースに関し、特に大陽電池モジュールを大陽の入射光に対して所定の角度で保持する架台を支える架台用ベースに関するものである。
【背景技術】
【０００２】
今日、原発事故等の影響から、自然エネルギーである太陽光を利用して発電する太陽光発電システムの導入が提唱されており、大規模な太陽光発電システムを備えるメガソーラー発電所が各地に建設されている。また、太陽光発電システムでは、多数の太陽電池パネルが設置され、太陽電池パネルは、架台及び基礎により地盤に支持固定されている。
従来、架台用ベースは、地盤上にコンクリート製の基礎を形成し、その基礎に長さの異なる支柱を立て、横部材、斜部材、取付部材等を組み合わせて架台を構成のものが存在する。
例えば、特許文献１に示すような太陽光発電装置は、整地された地盤Ｇ上にコンクリート製の基礎が設置され、その基礎に支柱、横部材、取付部材を介して架台が水平面に対して角度θだけ傾斜して支持固定されている（特許文献１）。
【先行技術文献】
【特許文献】
【０００３】
【特許文献１】特開２０１３−７３９５８号公報
【発明の概要】
【発明が解決しようとする課題】
【０００４】
しかし、従来の特許文献１の場合では、打設したコンクリートが固化するまでの間、待たなければ作業を進めることができず、工期の短縮を図る困難であった。
また、工場で製造した基礎を使用する場合には、重量が嵩み現場までの輸送にコストがかかるという問題があった。
更に、太陽光発電システムにおいて、架台及びベース（基礎）の設置コストに占める割合が大きいことより、これらの低コスト化が要求されているが、台風や地震その他の外的力に対しての強度も要求されている。
【０００５】
この発明は、上記したような不都合を解消する為になされ、外周に螺子溝の形成された支柱部材と、前記支柱部材の下端近傍に取り付けられる丸型ナットと、前記支柱部材の下端から所定の高さ位置に取り付けられるベースプレートと、前記支柱部材に前記ベースプレートの上に螺合される板ナットと、前記支柱部材の頂部に螺合されるナット及びワッシャーとを備える架台用ベースであって、前記丸型ナットを含む支柱部材の下端部を充填・接着材を充たした設置孔内に前記ベースプレートの下面が設置面に当接するまで挿入し、固定するので、工期の短縮を図ると共に、工費の低減を図ることのできる架台用ベースを提供するものである。
【課題を解決するための手段】
【０００６】
この発明は、以下のような内容である。
（１）上記目的を達成するため、本発明は外周に螺子溝の形成された支柱部材と、前記支柱部材の下端近傍に取り付けられる丸型ナットと、前記支柱部材の下端から所定の高さ位置に取り付けられるベースプレートと、前記支柱部材に前記ベースプレートの上に螺合される板ナットと、前記支柱部材の頂部に螺合されるナット及びワッシャーとを備える架台用ベースであって、前記丸型ナットを含む支柱部材の下端部を充填・接着材を充たした設置孔内に前記ベースプレートの下面が設置面に当接するまで挿入し固定することを特徴とする。
（２）また、前記支柱部材と丸型ナットとを一体的に構成したことを特徴とする。
（３）前記ベースプレートの上に防水層を形成する場合、支柱部材に沿って所定高さまで防水層を立ち上げることを特徴とする。
【発明の効果】
【０００７】
本発明は、外周に螺子溝の形成された支柱部材と、前記支柱部材の下端近傍に取り付けられる丸型ナットと、前記支柱部材の下端から所定の高さ位置に取り付けられるベースプレートと、前記支柱部材に前記ベースプレートの上に螺合される板ナットと、前記支柱部材の頂部に螺合されるナット及びワッシャーとを備える架台用ベースであって、前記丸型ナットを含む支柱部材の下端部を充填・接着材を充たした設置孔内に前記ベースプレートの下面が設置面に当接するまで挿入し固定するので、コンクリート基礎を設ける必要がなく、工期を短縮することができる。また、設置費用を低減できる。
また、前記支柱部材と丸型ナットとを一体的に構成したので、設置の際の組立工程を削減することができる。
また、前記ベースプレートの上に防水層を形成する場合、支柱部材に沿って所定高さまで防水層を立ち上げるので、既設の防水層の上に設置しても水漏れを完全に防止することができる。
【図面の簡単な説明】
【０００８】
【図１】図１は、本発明の一実施形態を示す架台を示す側面図である。
【図２】図２は、同架台を示す正面図である。
【図３】図３は、同架台を示す背面図である。
【図４】図４は、同架台に使用するベース部を示す断面図である。
【図５】図５は、同ベース部の他の施工形態を示す断面図である。
【図６】図６は、支持ピ−スの別の実施例を示す説明図である。
【図７】図７は、同支持ピ−スの要部拡大説明図である。
【図８】図８は、同ベース部の別の施工形態を示す断面図である。
【発明を実施するための形態】
【０００９】
本発明の架台用ベースは、外周に螺子溝の形成された支柱部材と、前記支柱部材の下端近傍に取り付けられる丸型ナットと、前記支柱部材の下端から所定の高さ位置に取り付けられるベースプレートと、前記支柱部材に前記ベースプレートの上に螺合される板ナットと、前記支柱部材の頂部に螺合されるナット及びワッシャーとを備える架台用ベースであって、前記丸型ナットを含む支柱部材の下端部を充填・接着材を充たした設置孔内に前記ベースプレートの下面が設置面に当接するまで挿入し固定するので、工期の短縮を図ることができると共に、工費の低減を図ることができる。また、既存の防水層の上に設置することができる。
【実施例１】
【００１０】
以下、一実施の形態を示す図面に基づいて本発明を詳細に説明する。図１は本発明の一実施形態を示す架台を示す側面図、図２は本発明の架台を示す正面図、図３は本発明の架台を示す背面図、図４は本発明の架台に使用するベース部を示す断面図である。ここで架台用ベース１０は、外周に螺子溝の形成された支柱部材１１と、前記支柱部材１１の下端近傍に取り付けられる丸型ナット１２と、前記支柱部材１１の下端から所定の高さ位置に取り付けられるベースプレート１３と、前記支柱部材１１に前記ベースプレート１３の上に螺合される板ナット１４と、前記支柱部材１１の頂部に螺合されるナット１５及びワッシャー１６とを備えている。
【００１１】
支柱部材１１は、例えば、ＳＵＳ３０４等の金属から構成され、長尺の棒状をしており外周に螺子溝の形成された寸切りボルトを使用することができる。
支柱部材１１の長さは、例えば３００〜１２００ｍｍ等の長さで任意に切断して使用することができる。
【００１２】
丸型ナット１２は、例えば、ＳＵＳ３０４等の金属から構成され、支柱部材１１の下端から螺合することができる。また、丸型ナット１２の代わりに、支柱部材１１の下端に一体的に形成してもよい。支柱部材１１と丸型ナット１２は、別体とすれば、輸送の際の嵩張りを少なくして、輸送コストを低減することができる。
支柱部材１１の下端部に丸型ナット１２を取付けた事により、丸型ナット１２と同径のアンカーボルトを使用したのと同じ引抜力を有する。つまり、丸型ナット１２を設けることにより埋め込み深さを浅くすることができる。これは弊社出願の特許第４１５５９５３号に示す技術思想と同様で、下部拡底手段として溶接を用いた固定手段と螺子を用いた固定手段の違いは有るが、基本的な技術思想は同じである。
【００１３】
ベースプレート１３は、例えば、ＳＵＳ３０４等の金属から構成され、平面視で正方形或いは長方形をしている。また、方形の周辺は面取り加工がされており、 中央に支柱部材１１の螺合されるネジ孔１３ａを有している。ベースプレート１３は、例えば、厚さ６ｍｍで一辺が１５０ｍｍの正方形であるが、設置面の耐力、荷重に応じて、大きくしたり、小さくすることができる。
【００１４】
板ナット１４は、例えば、ＳＵＳ３０４等の金属から構成され、円板状をしており、中央に支柱部材１１の螺合されるネジ孔１４ａを有している。板ナット１４は、例えば、厚さ６ｍｍで直径７５ｍｍの円形であるが、これより大きくしたり、小さくすることができる。
ナット１５は、例えば、ＳＵＳ３０４等の金属から構成され、六角ナットを使用することができる。
ワッシャー１６は、ナット１５を緩み止めのために、土台１９とナット１５の間に装着される。
【００１５】
図６、７に示すように、支持ピ−スは、支持ピ−スＡ２０と支持ピ−スＢ２１とから成り、中央に形成された接合部２０ａと端部に形成された接合部２１ａで半回動可能に接合される。支持ピ−スＡ２０は、板状の基部２０ｂと断面略円形で一部に切欠き２０ｃを有する接合部２０ａとから構成されている。切欠き２０ｃは、約６０°に形成されている。接合部２０ａは、基部２０ｂの一側面に突出形成されると共に、対応する裏面には、凹溝２０ｄが形成されている。
【００１６】
また、支持ピ−スＢ２１は、板状の基部２１ｂの一端に断面略円形で一部に切欠き２１ｃを有する接合部２１ａと他端近傍に形成された取付片２３ａ、２３ｂを有している。切欠き２１ｃは、約６０°に形成されている。また、接合部２１ａの外径寸法は、接合部２０ａの内周に遊嵌可能な寸法に形成する。取付片２３ａ、２３ｂは、所定の間隔を有して対向配置されており、土台１９に嵌合可能に形成されている。
【００１７】
以上のように構成された架台用ベース１０を設置する場合、先ず、設置面である押えコンクリート１７に縦孔１８を穿孔する。本実施形態では、支柱部材１１の径をＭ１６とした場合、縦孔１８を直径２５ｍｍで５５ｍｍの深さとする。
また、ベースプレート１３は、例えば一辺が１５０ｍｍの正方形で中央にＭ１６のネジ孔を有している。このように形成された縦孔１８内に充填・接着材を充填した後、丸型ナット１２を含む支柱部材１１の下端部を設置孔である縦孔１８内にベースプレート１３の下面が設置面Ｌに当接するまで挿入する。
【００１８】
ベースプレート１３の上の支柱部材１１には、例えば高さ寸法で４５〜６５ｍｍの範囲で板ナット１４が螺合され、その上にチャンネル部材等からなる土台１９が充填・接着材を介して取り付けられ、上端からワッシャー１６を介してナット１５が螺合されて固定される。また、土台１９には、支持ピ−ス固定用のボルト・ナット２２が取り付けられる。
【００１９】
更に、土台１９には支持ピ−スＢ２１が取付片２３によって取付られる。また、大陽電池モジュールＫの取付られる支持ピ−スＡ２０との取付け角度は、接合部２０ａ、２１ａによって自由に変更することができる。支持ピ−スＡ２０と支持ピ−スＢ２１の取付け角度が確定したら、ビス２６によって固定する。また、図１から明らかなように前後に設置する支柱部材１１の長さによって大陽電池モジュールＫの設置角度は、決定される。
【００２０】
図８は、本発明のベース部の別の施工形態を示す断面図である。本実施の形態において、ベースプレート２４を例えば、ＳＳ４００等の金属で構成し、厚さ６ｍｍで辺が９００ｍｍ×６００ｍｍの長方形とする。
また、ベースプレート２４の４隅周辺には、アンカーボルト２５が設けられている。更に、中央に支柱部材１１の螺合されるネジ孔２４ａを有している。
このように構成した場合、大きな荷重に耐えることができる。
【００２１】
本発明の架台用ベースは、大規模な太陽光発電システムとして、屋上や埋め立て地等のメガソーラー発電所に使用することができる。
【符号の説明】
【００２２】
Ｋ    大陽電池モジュール
１０    架台用ベース
１１    支柱部材
１２    丸型ナット
１３    ベースプレート
１３ａ  ネジ孔
１４    板ナット
１４ａ  ネジ孔
１５    ナット
１６    ワッシャー
１７    押えコンクリート
１８    縦孔
１９    土台
２０    支持ピ−スＡ
２０ａ  接合部
２０ｂ  基部
２０ｃ  切欠き
２０ｄ  凹溝
２１    支持ピ−スＢ
２１ａ  接合部  
２１ｂ  基部
２１ｃ  切欠き
２２    ボルト・ナット
２３    取付片
２４    ベースプレート
２４ａ  ネジ孔
２５    アンカーボルト
２６    ビス
【図１】
2015186402.tif 000003
【図２】
2015186402.tif 000004
【図３】
2015186402.tif 000005
【図４】
2015186402.tif 000006
【図５】
2015186402.tif 000007
【図６】
2015186402.tif 000008
【図７】
2015186402.tif 000009
【図８】
2015186402.tif 000010